(57)【要約】【課題】紫外線光量の情報入手を迅速になし、かつ適切な紫外線対策の指針をえることができる携帯電話の提供。【解決手段】撮像素子及び表示部を有する携帯電話(携帯装置)であって、撮像素子により紫外線を測定し、表示部は紫外線の皮膚への影響及び／または紫外線対策内容を表示するようにしたことを特徴とするものである。また、紫外線の皮膚への影響及び紫外線対策内容が紫外線光量の数値データに基づいて表示されることを特徴とする。また、情報通信ネットワークを介してサーバーへ使用者情報として紫外線データ記録，位置情報,時間情報等を送信し、これらの情報に基づいてサーバーから外出場所の紫外線強度に応じた対策のアドバイスを得られるようにしたことを特徴とする。【選択図】  図１
2006071581.tif 000002
【特許請求の範囲】
【請求項１】
撮像素子及び表示部を有する携帯電話であって、
該撮像素子により紫外線を測定し、表示部は紫外線の皮膚への影響及び／または紫外線対策内容を表示するようにしたことを特徴とする携帯電話。
【請求項２】
紫外線の皮膚への影響及び紫外線対策内容が紫外線光量の数値データに基づいて表示されることを特徴とする請求項１に記載の携帯電話。
【請求項３】
情報通信ネットワークを介してサーバーへ使用者情報として紫外線データ記録，位置情報,時間情報等を送信し、これらの情報に基づいて該サーバーから外出場所の紫外線強度に応じた対策のアドバイスを得られるようにしたことを特徴とする請求項１〜２のいずれかに記載の携帯電話。
【発明の詳細な説明】
【技術分野】
【０００１】
本発明は、表示部，紫外線測定部を有する携帯電話に関するものである。
【背景技術】
【０００２】
近年、オゾン層破壊の進行による紫外線量の増加により、皮膚への影響が懸念されるようになっており、手軽に紫外線光量を知り、皮膚への影響、防御策を入手することが望まれている。紫外線光量の情報入手は天気予報、地域別紫外線光量計測（予測）報告などにより可能である。しかしながら、同一エリアにあっても木陰なのか、日向なのかによって又は太陽高度の違いなどにより紫外線光量が大きく相違することはよく知られていることである。上述した紫外線光量の情報発信元は不特定多数をその発信先としているため、多少エリアを分割したとしても各エリアのある地点のある時間での代表的な数値を目安として示すよりほかなく、地域的、時間的な個別具体的な情報入手は実質的には難しいものであった。
【０００３】
さらに、これらの情報は在宅においてテレビやインターネットなどを介さないことには得られないものであるため、外出先での入手に困難性を伴う。紫外線測定機能付電子時計が提案が提案されている(特許文献１：実開平０１−０３０４９１号公報)。これは紫外線を計測する紫外線センサ、増幅器やＡ／Ｄ変換器等からなる計測手段とそのスタート手段の指示により紫外線の測定時間の計時を開始する時間計測器等からなるタイマ手段とを備えたものであり、時刻表示部には計測された紫外線データとタイマ手段で計時された測定時間とをドライブＤＲ１やドライブＤＲ２を介して切り替え表示する。また、日焼けの状態を表示・警告する携帯装置も提案されている(特許文献２：特開２００４−２０５５２４号公報)。
【特許文献１】実開平０１−０３０４９１号公報
【特許文献２】特開２００４−２０５５２４号公報
【発明の開示】
【発明が解決しようとする課題】
【０００４】
上述したような構成の装置にあっては、測定場所に応じた個別具体的な紫外線光量の測定が可能となっている。しかしながら、かかる装置は通常の時刻と紫外線測定時間ならびに紫外線量を表示・警報を行なうのみであり、得られた情報に対してどのような最適な処置を講ずるべきかどうかは判断することができない。また、紫外線量は測定時間に比例して増加するものであり、規定の数値まで達した状態になった時点ブザー等により警告されてなんらかの対策をとろうとしても、その間にも紫外線量は増加の一途をたどり、状況に応じた対応としては手遅れになりかねない。
【０００５】
本願発明は上記の問題点に鑑みてなされたものであり、その目的は紫外線光量の情報入手を迅速になし、かつ適切な紫外線対策の指針をえることができる携帯電話(携帯装置)を提供することにある。
【課題を解決するための手段】
【０００６】
かかる目的の達成のため、本発明は、撮像素子及び表示部を有する携帯電話(携帯装置)であって、撮像素子により紫外線を測定し、表示部は紫外線の皮膚への影響及び／または紫外線対策内容を表示するようにしたことを特徴とするものである。また、紫外線の皮膚への影響及び紫外線対策内容が紫外線光量の数値データに基づいて表示されることを特徴とする。また、情報通信ネットワークを介してサーバーへ使用者情報として紫外線データ記録，位置情報,時間情報等を送信し、これらの情報に基づいてサーバーから外出場所の紫外線強度に応じた対策のアドバイスを得られるようにしたことを特徴とする。
【発明の効果】
【０００７】
紫外線光量の情報入手を容易に迅速にでき、かつリアルタイムの適切な紫外線対策の指針を得ることができる携帯電話(携帯装置)が得られる。
【発明を実施するための最良の形態】
【０００８】
本発明の実施の形態について図面を参照して説明する。図１において、１は携帯装置としてのｉ−モードを備えた携帯電話、２はインターネット等の情報通信ネットワーク、３は情報提供サーバーである。
【０００９】
情報提供サーバー３には、紫外線光量の数値データに対応した皮膚への影響及び最適な防御策, ＳＰＦ(Sun Protection Factor)指数(サンケア指数)に対応した紫外線防止化粧品情報，ＰＡ(Protection Grade of UV-A)指数に対応した紫外線防止化粧品情報等の情報が記憶されている。また、日本全国をグリッドに分け、紫外線の日変化が平均値として、晴れ，曇り，雨の場合に分けて記憶されている。
【００１０】
図２はその一例で、（ａ）はＳＰＦ(Sun Protection Factor)指数と状況、化粧品名と関連のリスト一覧、（ｂ）は、ＰＡ(Protection Grade of UV-A)指数と化粧品名とその効果との関連のリスト一覧である。
【００１１】
また、携帯電話１は、撮像部(ＣＣＤカメラ)１２を備えている。制御部(ＣＰＵ)１０、記憶部１５、ＧＰＳ(全地球測位システム)１８、時計機能を含むクロック回路等を筐体内部に内蔵している。
【００１２】
撮像部１２は固体撮像素子(ＣＣＤ)を含み、これを用いて紫外線センサとして作用させる。固体撮像素子への入射光は、フィルタ１６により紫外線のみが検出され、Ａ／Ｄ変換器１７によりＡ／Ｄ変換される。紫外線量が記憶部１５に記憶される。かかる部分の構成、動作は当業者にとって良く知られたものであるため、ここでは説明を省略する。
【００１３】
紫外線対策等の情報は以下のようにして行なう。まず、携帯電話１の外部通信部１１から情報通信ネットワーク(インターネット)２を介して情報提供サーバー３にアクセスする。アクセスした後、情報提供サーバー３のサービス画面を表示部１３に表示させる。
【００１４】
記憶されたデータ(紫外線量：現時点の紫外線量または積算の紫外線量)，現在位置，時間等の情報，検索条件(現時点，３０分後，１時間後等)を入力部１４で入力する。検索された結果は、例えば、「ＳＰＦ指数  ２５」と表示部１３に表示される。さらに、このレンジに適合した化粧品もＰＡ指数と共に、図２（ｂ）に示すようなデータベースの中から抽出され、「ＰＡ指数  ＋  ＵＶ−Ａ防止効果がある  化粧品名    メーカー名  、価格      」という形で表示部１３に表示される。
【図面の簡単な説明】
【００１５】
【図１】本発明の実施例を示すブロック図である。
【図２】本発明の実施例のデータベースの一例を示すである。
【符号の説明】
【００１６】
１  携帯電話、２  情報通信ネットワーク、３  サーバー、１１  外部通信部、１２  撮像部、１３  表示部、１４  入力部
【図１】
2006071581.tif 000003
【図２】
2006071581.tif 000004